(57)【特許請求の範囲】
【請求項１】
急速充電方法であって、前記方法は移動端末のためのものであり、前記移動端末はＵＳＢインターフェースを介して電源アダプタに接続され、前記ＵＳＢインターフェース内の電源線は前記移動端末を充電するための電源線であり、前記ＵＳＢインターフェース内のデータ線は前記電源アダプタと前記移動端末との間の通信のためのデータ線であり、前記移動端末は普通充電モード又は急速充電モードで動作可能であり、且つ、前記急速充電モードでの充電電流が前記普通充電モードでの充電電流よりも大きく、
前記方法は、
前記移動端末が前記ＵＳＢインターフェース内のデータ線を介して、前記電源アダプタに前記急速充電モードでの動作を指示するための第１コマンドを前記電源アダプタに送信するステップと、
前記移動端末が前記電源アダプタから前記急速充電モードに対応する充電電流を受信し、前記移動端末内の電池を充電するステップと、
前記電源アダプタが前記急速充電モードで前記移動端末を充電する過程において、前記移動端末が前記ＵＳＢインターフェース内のデータ線を介して、前記電源アダプタが前記電池の現在電圧に基づいて充電電流を調整しあるいは前記電源アダプタの充電電圧及び前記電池の現在電圧に基づいて前記電源アダプタと前記移動端末との間の接続が不良であるかどうかを判定するように前記移動端末内の電池の現在電圧を表示するためのコマンドを前記電源アダプタに送信するステップと、を備え、
前記電池の現在電圧が、前記電源アダプタが前記電池の現在電圧および予め設定された電池電圧と充電電流との間の対応関係に基づいて、充電電流を前記電池の現在電圧に対応する充電電流に調整するように前記電源アダプタに参照される電圧であることを特徴とする急速充電方法。
【請求項２】
前記移動端末が前記電源アダプタから前記急速充電モードに対応する充電電流を受信し、前記移動端末内の電池を充電する前に、前記移動端末が前記ＵＳＢインターフェース内のデータ線を介して、前記急速充電モードに対応する充電電圧を表示するための第２コマンドを前記電源アダプタに送信するステップを更に備えることを特徴とする請求項１に記載の急速充電方法。
【請求項３】
前記移動端末が前記電源アダプタから前記急速充電モードに対応する充電電流を受信し、前記移動端末内の電池を充電する前に、前記移動端末が前記ＵＳＢインターフェース内のデータ線を介して、前記急速充電モードに対応する充電電流を表示するための第３コマンドを前記電源アダプタに送信するステップを更に備えることを特徴とする請求項１または２に記載の急速充電方法。
【請求項４】
急速充電方法であって、前記方法は電源アダプタのためのものであり、前記電源アダプタはＵＳＢインターフェースを介して移動端末に接続され、前記ＵＳＢインターフェース内の電源線は前記電源アダプタが前記移動端末を充電するための電源線であり、前記ＵＳＢインターフェース内のデータ線は前記電源アダプタと前記移動端末との間の通信のためのデータ線であり、前記電源アダプタは普通充電モード又は急速充電モードで動作可能であり、前記急速充電モードでの充電電流が前記普通充電モードでの充電電流よりも大きく、
前記方法は、
前記電源アダプタが前記ＵＳＢインターフェース内のデータ線を介して、前記電源アダプタに前記急速充電モードでの動作を指示するための第１コマンドを前記移動端末から受信するステップと、
前記電源アダプタが充電電流を前記急速充電モードに対応する充電電流に調整し、前記移動端末を充電するステップと、
前記電源アダプタが前記急速充電モードで前記移動端末を充電する過程において、前記電源アダプタが前記ＵＳＢインターフェース内のデータ線を介して、前記移動端末内の電池の現在電圧を表示するためのコマンドを前記移動端末から受信するステップと、
前記電源アダプタが前記電池の現在電圧および予め設定された電池電圧と充電電流との間の対応関係に基づいて、充電電流を前記電池の現在電圧に対応する充電電流に調整するステップと、を備えることを特徴とする急速充電方法。
【請求項５】
前記電源アダプタが充電電流を前記急速充電モードに対応する充電電流に調整し、前記移動端末を充電する前に、前記電源アダプタが前記ＵＳＢインターフェース内のデータ線を介して、前記急速充電モードに対応する充電電圧を表示するための第２コマンドを前記移動端末から受信するステップを更に備えることを特徴とする請求項４に記載の急速充電方法。
【請求項６】
前記電源アダプタが充電電流を前記急速充電モードに対応する充電電流に調整し、前記移動端末を充電する前に、前記電源アダプタが前記ＵＳＢインターフェース内のデータ線を介して、前記急速充電モードに対応する充電電流を表示するための第３コマンドを前記移動端末から受信するステップを更に備えることを特徴とする請求項４または５に記載の急速充電方法。
【請求項７】
前記電源アダプタが、前記電源アダプタの充電電圧及び前記電池の現在電圧に基づいて、前記電源アダプタと前記移動端末との間の接続が不良であるかどうかを判定するステップ、を更に備えることを特徴とすることを特徴とする請求項４〜６のいずれかに記載の急速充電方法。
【請求項８】
移動端末であって、前記移動端末はＵＳＢインターフェースを介して電源アダプタに接続され、前記ＵＳＢインターフェース内の電源線は前記移動端末を充電するための電源線であり、前記ＵＳＢインターフェース内のデータ線は前記電源アダプタと前記移動端末との間の通信のためのデータ線であり、前記移動端末は普通充電モード又は急速充電モードで動作可能であり、且つ、前記急速充電モードでの充電電流が前記普通充電モードでの充電電流よりも大きく、
前記移動端末は、
前記ＵＳＢインターフェース内のデータ線を介して、前記電源アダプタに急速充電モードでの動作を指示するための第１コマンドを前記電源アダプタに送信するための通信ユニットと、
前記電源アダプタから前記急速充電モードに対応する充電電流を受信し、前記移動端末内の電池を充電するための充電ユニットと、を備え、
前記通信ユニットは、更に、前記電源アダプタが前記急速充電モードで前記移動端末を充電する過程において、前記移動端末が前記ＵＳＢインターフェース内のデータ線を介して、前記電源アダプタが前記電池の現在電圧に基づいて充電電流を調整しあるいは前記電源アダプタの充電電圧及び前記電池の現在電圧に基づいて前記電源アダプタと前記移動端末との間の接続が不良であるかどうかを判定するように前記移動端末内の電池の現在電圧を表示するためのコマンドを前記電源アダプタに送信するための通信ユニットであり、
前記電池の現在電圧が、前記電源アダプタが前記電池の現在電圧および予め設定された電池電圧と充電電流との間の対応関係に基づいて、充電電流を前記電池の現在電圧に対応する充電電流に調整するように前記電源アダプタに参照される電圧であることを特徴とする移動端末。
【請求項９】
前記通信ユニットは、更に、前記ＵＳＢインターフェース内のデータ線を介して、前記急速充電モードに対応する充電電圧を表示するための第２コマンドを前記電源アダプタに送信するための通信ユニットであることを特徴とする請求項８に記載の移動端末。
【請求項１０】
電源アダプタであって、前記電源アダプタはＵＳＢインターフェースを介して移動端末に接続され、前記ＵＳＢインターフェース内の電源線は前記電源アダプタが前記移動端末を充電するための電源線であり、前記ＵＳＢインターフェース内のデータ線は前記電源アダプタと前記移動端末との間の通信のためのデータ線であり、前記電源アダプタは普通充電モード又は急速充電モードで動作可能であり、前記急速充電モードでの充電電流が前記普通充電モードでの充電電流よりも大きく、
前記電源アダプタは、
前記ＵＳＢインターフェース内のデータ線を介して、前記電源アダプタに急速充電モードでの動作を指示するための第１コマンドを前記移動端末から受信するための通信ユニットと、
充電電流を前記急速充電モードに対応する充電電流に調整し、前記移動端末を充電するための電流調整ユニットと、を備え、
前記通信ユニットは、更に、前記電流調整ユニットが前記急速充電モードで前記移動端末を充電する過程において、前記ＵＳＢインターフェース内のデータ線を介して、前記移動端末内の電池の現在電圧を表示するためのコマンドを前記移動端末から受信するための通信ユニットであり、
前記電流調整ユニットは、更に、前記電池の現在電圧および予め設定された電池電圧と充電電流との間の対応関係に基づいて、充電電流を前記電池の現在電圧に対応する充電電流に調整するための電流調整ユニットであることを特徴とする電源アダプタ。
【請求項１１】
前記通信ユニットは、更に、前記ＵＳＢインターフェース内のデータ線を介して、前記急速充電モードに対応する充電電圧を表示するための第２コマンドを前記移動端末から受信するための通信ユニットであることを特徴とする請求項１０に記載の電源アダプタ。
【請求項１２】
前記通信ユニットは、更に、前記ＵＳＢインターフェース内のデータ線を介して、前記急速充電モードに対応する充電電流を表示するための第３コマンドを前記移動端末から受信するための通信ユニットであることを特徴とする請求項１０または１１に記載の電源アダプタ。
【発明の詳細な説明】
【技術分野】
【０００１】
本発明は、充電分野に関し、特に、急速充電方法、電源アダプタ及び移動端末に関する。
【背景技術】
【０００２】
従来、移動端末（例えば、スマートフォン）は、消費者がますます好きなものであり、しかしながら、消費電力量が高いため、頻繁な充電が一般的に必要である。移動端末の電池容量が高くなっているのに伴い、充電時間は相応して長くなっている。このため、急速充電をできるだけ早く実現することは必要である。
【０００３】
従来技術では、急速充電の目的を達成するために、一般的に、移動端末の耐久性を考慮することなく、電源アダプタの出力電流を直接的に増加する。よって、移動端末は過熱し、ひいては焼損するため、寿命が低減される。
【発明の概要】
【０００４】
本発明の実施形態は、急速充電過程の安全性を向上させる急速充電方法、電源アダプタ及び移動端末を提供する。
【０００５】
第１技術手段は、急速充電方法を提供し、前記方法は移動端末のためのものであり、前記移動端末はＵＳＢインターフェースを介して電源アダプタに接続され、前記ＵＳＢインターフェース内の電源線は前記移動端末を充電するためのものであり、前記ＵＳＢインターフェース内のデータ線は前記電源アダプタと前記移動端末との間の通信のためのものであり、前記移動端末は普通充電モード又は急速充電モードで動作可能であり、且つ、前記急速充電モードでの充電電流が前記普通充電モードでの充電電流よりも大きく、前記方法は、前記移動端末が前記ＵＳＢインターフェース内のデータ線を介して、前記電源アダプタに前記急速充電モードでの動作を指示するための第１コマンドを前記電源アダプタに送信するステップと、前記移動端末が前記電源アダプタから前記急速充電モードに対応する充電電流を受信し、前記移動端末内の電池を充電するステップとを備える。
【０００６】
第１技術手段に関連して、第１技術手段の一つの実施形態においては、前記移動端末が前記電源アダプタから前記急速充電モードに対応する充電電流を受信し、前記移動端末内の電池を充電する前に、前記方法は、前記移動端末が前記ＵＳＢインターフェース内のデータ線を介して、前記急速充電モードに対応する充電電圧を表示するための第２コマンドを前記電源アダプタに送信するステップを更に備える。
【０００７】
第１技術手段または上記実施形態のいずれかに関連して、第１技術手段の別の実施形態においては、前記移動端末が前記電源アダプタから前記急速充電モードに対応する充電電流を受信し、前記移動端末内の電池を充電する前に、前記方法は、前記移動端末が前記ＵＳＢインターフェース内のデータ線を介して、前記急速充電モードに対応する充電電流を表示するための第３コマンドを前記電源アダプタに送信するステップを更に備える。
【０００８】
第１技術手段または上記実施形態のいずれかに関連して、第１技術手段の別の実施形態においては、前記方法は、前記電源アダプタが前記急速充電モードで前記移動端末を充電する過程において、前記移動端末が前記ＵＳＢインターフェース内のデータ線を介して、前記電源アダプタが前記電池の現在電圧に基づいて充電電流を調整しあるいは前記電源アダプタの充電電圧及び前記電池の現在電圧に基づいて前記電源アダプタと前記移動端末との間の接続が不良であるかどうかを判定するように前記移動端末内の電池の現在電圧を表示するための第４コマンドを前記電源アダプタに送信するステップを更に備える。
【０００９】
第２技術手段は、急速充電方法を提供し、前記方法は電源アダプタのためのものであり、前記電源アダプタはＵＳＢインターフェースを介して移動端末に接続され、前記ＵＳＢインターフェース内の電源線は前記電源アダプタが前記移動端末を充電するためのものであり、前記ＵＳＢインターフェース内のデータ線は前記電源アダプタと前記移動端末との間の通信のためのものであり、前記電源アダプタは普通充電モード又は急速充電モードで動作可能であり、前記急速充電モードでの充電電流が前記普通充電モードでの充電電流よりも大きく、前記方法は、前記電源アダプタが前記ＵＳＢインターフェース内のデータ線を介して、前記電源アダプタに前記急速充電モードでの動作を指示するための第１コマンドを前記移動端末から受信するステップと、前記電源アダプタが充電電流を前記急速充電モードに対応する充電電流に調整し、前記移動端末を充電するステップと備える。
【００１０】
第２技術手段に関連して、第２技術手段の一つの実施形態においては、前記電源アダプタが充電電流を前記急速充電モードに対応する充電電流に調整し、前記移動端末を充電する前に、前記方法は、前記電源アダプタが前記ＵＳＢインターフェース内のデータ線を介して、前記急速充電モードに対応する充電電圧を表示するための第２コマンドを前記移動端末から受信するステップを更に備える。
【００１１】
第２技術手段または上記実施形態のいずれかに関連して、第２技術手段の別の実施形態においては、前記電源アダプタが充電電流を前記急速充電モードに対応する充電電流に調整し、前記移動端末を充電する前に、前記方法は、前記電源アダプタが前記ＵＳＢインターフェース内のデータ線を介して、前記急速充電モードに対応する充電電流を表示するための第３コマンドを前記移動端末から受信するステップを更に備える。
【００１２】
第２技術手段または上記実施形態のいずれかに関連して、第２技術手段の別の実施形態においては、前記方法は、前記電源アダプタが前記急速充電モードで前記移動端末を充電する過程において、前記電源アダプタが前記ＵＳＢインターフェース内のデータ線を介して、前記移動端末内の電池の現在電圧を表示するための第４コマンドを前記移動端末から受信するステップと、前記電源アダプタが、前記移動端末内の電池の現在電圧に基づいて、充電電流を調整するステップとを備える。
【００１３】
第２技術手段または上記実施形態のいずれかに関連して、第２技術手段の別の実施形態においては、前記電源アダプタが、前記移動端末内の電池の現在電圧に基づいて、充電電流を調整するステップは、前記電源アダプタが前記電池の現在電圧および予め設定された電池電圧と充電電流との間の対応関係に基づいて前記電源アダプタの充電電流を前記電池の現在電圧に対応する充電電流に調整するステップを備える。
【００１４】
第２技術手段または上記実施形態のいずれかに関連して、第２技術手段の別の実施形態においては、前記方法は、前記電源アダプタが前記急速充電モードで前記移動端末を充電する過程において、前記電源アダプタが前記ＵＳＢインターフェース内のデータ線を介して、前記移動端末内の電池の現在電圧を表示するための第４コマンドを前記移動端末から受信するステップと、前記電源アダプタが、前記電源アダプタの充電電圧及び前記電池の現在電圧に基づいて、前記電源アダプタと前記移動端末との間の接続が不良であるかどうかを判定するステップとを更に備える。
【００１５】
第３技術手段は、移動端末を提供し、前記移動端末はＵＳＢインターフェースを介して電源アダプタに接続され、前記ＵＳＢインターフェース内の電源線は前記移動端末を充電するためのものであり、前記ＵＳＢインターフェース内のデータ線は前記電源アダプタと前記移動端末との間の通信のためのものであり、前記移動端末は普通充電モード又は急速充電モードで動作可能であり、且つ、前記急速充電モードでの充電電流が前記普通充電モードでの充電電流よりも大きく、前記移動端末は、前記ＵＳＢインターフェース内のデータ線を介して、前記電源アダプタに急速充電モードでの動作を指示するための第１コマンドを前記電源アダプタに送信するための通信ユニットと、前記電源アダプタから前記急速充電モードに対応する充電電流を受信し、前記移動端末内の電池を充電するための充電ユニットとを備える。
【００１６】
第３技術手段に関連して、第３技術手段の一つの実施形態においては、前記通信ユニットは、更に、前記ＵＳＢインターフェース内のデータ線を介して、前記急速充電モードに対応する充電電圧を表示するための第２コマンドを前記電源アダプタに送信するためのものである。
【００１７】
第３技術手段または上記実施形態のいずれかに関連して、第３技術手段の別の実施形態においては、前記通信ユニットは、更に、前記ＵＳＢインターフェース内のデータ線を介して、前記急速充電モードに対応する充電電流を表示するための第３コマンドを前記電源アダプタに送信するためのものである。
【００１８】
第３技術手段または上記実施形態のいずれかに関連して、第３技術手段の別の実施形態においては、前記通信ユニットは、更に、前記電源アダプタが前記急速充電モードで前記移動端末を充電する過程において、前記ＵＳＢインターフェース内のデータ線を介して、前記電源アダプタが前記電池の現在電圧に基づいて充電電流を調整しあるいは前記電源アダプタの充電電圧及び前記電池の現在電圧に基づいて前記電源アダプタと前記移動端末との間の接続が不良であるかどうかを判定するように前記移動端末内の電池の現在電圧を表示するための第４コマンドを前記電源アダプタに送信するためのものである。
【００１９】
第４技術手段は、電源アダプタを提供し、前記電源アダプタはＵＳＢインターフェースを介して移動端末に接続され、前記ＵＳＢインターフェース内の電源線は前記電源アダプタが前記移動端末を充電するためのものであり、前記ＵＳＢインターフェース内のデータ線は前記電源アダプタと前記移動端末との間の通信のためのものであり、前記電源アダプタは普通充電モード又は急速充電モードで動作可能であり、前記急速充電モードでの充電電流が前記普通充電モードでの充電電流よりも大きく、前記電源アダプタは、前記ＵＳＢインターフェース内のデータ線を介して、前記電源アダプタに急速充電モードでの動作を指示するための第１コマンドを前記移動端末から受信するための通信ユニットと、充電電流を前記急速充電モードに対応する充電電流に調整し、前記移動端末を充電するための電流調整ユニットとを備える。
【００２０】
第４技術手段に関連して、第４技術手段の一つの実施形態においては、前記通信ユニットは、更に、前記ＵＳＢインターフェース内のデータ線を介して、前記急速充電モードに対応する充電電圧を表示するための第２コマンドを前記移動端末から受信するためのものである。
【００２１】
第４技術手段または上記実施形態のいずれかに関連して、第４技術手段の別の実施形態においては、前記通信ユニットは、更に、前記ＵＳＢインターフェース内のデータ線を介して、前記急速充電モードに対応する充電電流を表示するための第３コマンドを前記移動端末から受信するためのものである。
【００２２】
第４技術手段または上記実施形態のいずれかに関連して、第４技術手段の別の実施形態においては、前記通信ユニットは、更に、前記電源アダプタが前記急速充電モードで前記移動端末を充電する過程において、前記ＵＳＢインターフェース内のデータ線を介して、前記移動端末内の電池の現在電圧を表示するための第４コマンドを前記移動端末から受信するためのものであり、前記電流調整ユニットは、前記移動端末内の電池の現在電圧に基づいて、充電電流を調整するためのものである。
【００２３】
第４技術手段または上記実施形態のいずれかに関連して、第４技術手段の別の実施形態においては、前記電流調整ユニットは、前記電池の現在電圧および予め設定された電池電圧と充電電流との間の対応関係に基づいて前記電源アダプタの充電電流を前記電池の現在電圧に対応する充電電流に調整するためのものである。
【００２４】
第４技術手段または上記実施形態のいずれかに関連して、第４技術手段の別の実施形態においては、前記通信ユニットは、更に、前記電源アダプタが前記急速充電モードで前記移動端末を充電する過程において、前記ＵＳＢインターフェース内のデータ線を介して、前記移動端末内の電池の現在電圧を表示するための第４コマンドを前記移動端末から受信するためのものであり、前記電源アダプタが、前記電源アダプタの充電電圧及び前記電池の現在電圧に基づいて、前記電源アダプタと前記移動端末との間の接続が不良であるかどうかを判定する。
【００２５】
本発明の実施形態においては、電源アダプタは、勝手に出力電流を増大して急速充電を行うことなく、移動端末からの第１コマンドを受信した後でこそ、急速充電モードで移動端末を急速充電することができるため、従来技術に比べて、急速充電過程の安全性を向上させる。
【図面の簡単な説明】
【００２６】
本発明の実施形態に係る技術手段をより明瞭に説明するために、以下、本発明の実施形態に必要な添付図面は簡単に紹介される。以下に説明される添付図面は、明らかに本発明の一部の実施形態に関するもののみであり、当業者は、創造的な努力なしに、これらの図面から他の図面を得ることができる。
【図１】本発明の実施形態に係る急速充電方法の概略フローチャートである。
【図２】本発明の実施形態に係る急速充電方法の概略フローチャートである。
【図３】本発明の実施形態に係る移動端末の概略ブロック図である。
【図４】本発明の実施形態に係る電源アダプタの概略ブロック図である。
【発明を実施するための形態】
【００２７】
以下、本発明の実施形態に係る添付図面を参照しながら、本発明の実施形態に係る技術手段について明瞭に、完全に説明する。説明される実施形態は、明らかに本発明のすべての実施形態ではなく一部の実施形態のみである。本明細書に説明される実施形態から創造的な努力なしに当業者が得ることができるすべての別の実施形態は、本発明の範囲に入るものとする。
【００２８】
図１は、本発明の実施形態に係る急速充電方法の概略フローチャートである。図１に示される方法は、移動端末のためのものであり、前記移動端末は、ユニバーサルシリアルバス（Ｕｎｉｖｅｒｓａｌ  Ｓｅｒｉａｌ  Ｂｕｓ、ＵＳＢ）インターフェースを介して電源アダプタに接続される。このＵＳＢインターフェースは、普通のＵＳＢインターフェースであってもよく、マイクロＵＳＢインターフェースであってもよい。前記ＵＳＢインターフェース内の電源線は、前記移動端末を充電するためのものであり、このＵＳＢインターフェース内の電源線がＵＳＢインターフェース内のＶＢｕｓ線及び／又はアース線であってもよい。前記ＵＳＢインターフェース内のデータ線は、前記電源アダプタと前記移動端末との間の通信のためのものであり、このデータ線がＵＳＢインターフェース内のＤ＋線及び／又はＤ−線であってもよい。所謂双方向通信は、前記電源アダプタと前記移動端末との間の情報交換を意味してもよい。前記移動端末は、普通充電モード又は急速充電モードで動作可能であり、且つ、前記急速充電モードでの充電電流が前記普通充電モードでの充電電流よりも大きく、例えば、普通充電モードでの充電電流が一般的に２．５Ａ未満であり、急速充電モードでの充電電流が３Ａを超えてもよい。
図１に示される方法は、以下のステップを備える。
【００２９】
ステップ１１０：前記移動端末が前記ＵＳＢインターフェース内のデータ線を介して、前記電源アダプタに前記急速充電モードでの動作を指示するための第１コマンドを前記電源アダプタに送信する。
【００３０】
当業者であれば理解できるように、ステップ１１０の前に、移動端末は、現在の電池の残量、電池の電圧及び移動端末の動作状態などに基づいて、急速充電を行うかどうかを決めてもよい。
ステップ１２０：前記移動端末が前記電源アダプタから前記急速充電モードに対応する充電電流を受信し、前記移動端末内の電池を充電する。
【００３１】
本発明の実施形態においては、電源アダプタは、勝手に出力電流を増大して急速充電を行うことなく、移動端末からの第１コマンドを受信した後でこそ、急速充電モードで移動端末を急速充電することができるため、従来技術に比べて、急速充電過程の安全性を向上させる。
【００３２】
また、一つの実施形態としては、前記移動端末が前記電源アダプタから前記急速充電モードに対応する充電電流を受信し、前記移動端末内の電池を充電する前に、図１に示される方法は、前記移動端末が前記ＵＳＢインターフェース内のデータ線を介して、前記急速充電モードに対応する充電電圧を表示するための第２コマンドを前記電源アダプタに送信するステップを更に備える。
【００３３】
当業者であれば理解できるように、急速充電モードに対応する充電電圧は、電源アダプタに予め設定された充電電圧であってもよく、移動端末が第２コマンドによって表示する充電電圧であってもよい。具体的には、移動端末は、自身の動作パラメーター、例えば、電池の残量、電圧及び温度などに基づいて、急速充電モードに対応する充電電圧を決定する。
【００３４】
また、一つの実施形態としては、前記移動端末が前記電源アダプタから前記急速充電モードに対応する充電電流を受信し、前記移動端末内の電池を充電する前に、前記方法は、前記移動端末が前記ＵＳＢインターフェース内のデータ線を介して、前記急速充電モードに対応する充電電流を表示するための第３コマンドを前記電源アダプタに送信するステップを更に備える。
【００３５】
当業者であれば理解できるように、急速充電モードに対応する充電電流は、電源アダプタに予め設定された充電電流であってもよく、移動端末が第３コマンドによって表示する充電電流であってもよい。具体的には、移動端末は、自身の動作パラメーター、例えば、電池の残量、電圧及び温度などに基づいて、急速充電モードに対応する充電電流を決める。
【００３６】
また、一つの実施形態としては、図１に示される方法は、前記電源アダプタが前記急速充電モードで前記移動端末を充電する過程において、前記移動端末が前記ＵＳＢインターフェース内のデータ線を介して、前記電源アダプタが前記電池の現在電圧に基づいて充電電流を調整しあるいは前記電源アダプタの充電電圧及び前記電池の現在電圧に基づいて前記電源アダプタと前記移動端末との間の接続が不良であるかどうかを判定するように前記移動端末内の電池の現在電圧を表示するための第４コマンドを前記電源アダプタに送信するステップを更に備える。
【００３７】
具体的には、電源アダプタは、自分の出力電圧と電池の電圧との間の電圧降下に基づいて、回路全体のインピーダンスを判定し、当該回路のインピーダンスが閾値を超える場合、ＵＳＢインターフェースの異常を判定する。
【００３８】
以上、図１を参照しながら、移動端末の角度から本発明の実施形態に係る急速充電方法は詳細に説明する。以下、図２を参照しながら、電源アダプタの角度から本発明の実施形態に係る急速充電方法は説明する。
【００３９】
当業者であれば理解できるように、移動端末の角度から説明された、移動端末と電源アダプタの相互作用および関連する特性、機能などは、電源アダプタの角度から説明されるものに対応するので、簡潔にするために、重複の説明は省略される。
【００４０】
図２は、本発明の実施形態に係る急速充電方法の概略フローチャートである。図２に示される方法は、電源アダプタのためのものであり、前記電源アダプタは、ＵＳＢインターフェースを介して移動端末に接続される。前記ＵＳＢインターフェース内の電源線は、前記電源アダプタが前記移動端末を充電するためのものであり、前記ＵＳＢインターフェース内のデータ線は、前記電源アダプタと前記移動端末との間の通信のためのものである。前記電源アダプタは、普通充電モード又は急速充電モードで動作可能であり、前記急速充電モードでの充電電流が前記普通充電モードでの充電電流よりも大きい。図２に示される方法は、以下のステップを備える。
【００４１】
ステップ２１０：前記電源アダプタが前記ＵＳＢインターフェース内のデータ線を介して、前記電源アダプタに急速充電モードでの動作を指示するための第１コマンドを前記移動端末から受信する。
【００４２】
ステップ２２０：前記電源アダプタが充電電流を前記急速充電モードに対応する充電電流に調整し、前記移動端末を充電する。
【００４３】
本発明の実施形態においては、電源アダプタは、勝手に出力電流を増大して急速充電を行うことなく、移動端末からの第１コマンドを受信した後でこそ、急速充電モードで移動端末を急速充電することができるため、従来技術に比べて、急速充電過程の安全性を向上させる。
【００４４】
また、一つの実施形態としては、前記電源アダプタが充電電流を前記急速充電モードに対応する充電電流に調整し、前記移動端末を充電する前に、図２に示される方法は、前記電源アダプタが前記ＵＳＢインターフェース内のデータ線を介して、前記急速充電モードに対応する充電電圧を表示するための第２コマンドを前記移動端末から受信するステップを更に備える。
【００４５】
また、一つの実施形態としては、前記電源アダプタが充電電流を前記急速充電モードに対応する充電電流に調整し、前記移動端末を充電する前に、図２に示される方法は、前記電源アダプタが前記ＵＳＢインターフェース内のデータ線を介して、前記急速充電モードに対応する充電電流を表示するための第３コマンドを前記移動端末から受信するステップを更に備える。
【００４６】
また、一つの実施形態としては、図２に示される方法は、前記電源アダプタが前記急速充電モードで前記移動端末を充電する過程において、前記電源アダプタが前記ＵＳＢインターフェース内のデータ線を介して、前記移動端末内の電池の現在電圧を表示するための第４コマンドを前記移動端末から受信するステップと、前記電源アダプタが、前記移動端末内の電池の現在電圧に基づいて、充電電流を調整するステップとを更に備える。
【００４７】
また、一つの実施形態としては、前記電源アダプタが、前記移動端末内の電池の現在電圧に基づいて、充電電流を調整するステップは、前記電源アダプタが前記電池の現在電圧および予め設定された電池電圧と充電電流との間の対応関係に基づいて前記電源アダプタの充電電流を前記電池の現在電圧に対応する充電電流に調整するステップを備える。
【００４８】
また、一つの実施形態としては、図２に示される方法は、前記電源アダプタが前記急速充電モードで前記移動端末を充電する過程において、前記電源アダプタが前記ＵＳＢインターフェース内のデータ線を介して、前記移動端末内の電池の現在電圧を表示するための第４コマンドを前記移動端末から受信するステップを更に備え、前記電源アダプタが、前記電源アダプタの充電電圧及び前記電池の現在電圧に基づいて、前記電源アダプタと前記移動端末との間の接続が不良であるかどうかを判定する。
【００４９】
以上、図１ないし図２を参照しながら、本発明の実施形態に係る急速充電方法は詳細に説明する。以下、図３ないし図４を参照しながら、本発明の実施形態に係る移動端末及び電源アダプタは詳細に説明する。当業者であれば理解できるように、図３に示される移動端末は、図１及び図２における、移動端末が実行可能な様々なステップを実行することができ、図４に示される電源アダプタは、図１及び図２における、電源アダプタが実行可能な様々なステップを実行することができ、また、重複を回避するために、詳細な説明はしない。
【００５０】
図３は、本発明の実施形態に係る移動端末の概略ブロック図である。図３に示される移動端末３００は、ＵＳＢインターフェースを介して電源アダプタに接続される。前記ＵＳＢインターフェース内の電源線は、前記移動端末３００を充電するためのものであり、前記ＵＳＢインターフェース内のデータ線は、前記電源アダプタと前記移動端末３００との間の通信のためのものである。前記移動端末は、普通充電モード又は急速充電モードで動作可能であり、且つ、前記急速充電モードでの充電電流が前記普通充電モードでの充電電流よりも大きい。前記移動端末３００は、以下のユニットを備える。
【００５１】
通信回路３１０は、前記ＵＳＢインターフェース内のデータ線を介して、前記電源アダプタに急速充電モードでの動作を指示するための第１コマンドを前記電源アダプタに送信するためのものである。
【００５２】
充電回路３２０は、前記電源アダプタから前記急速充電モードに対応する充電電流を受信し、前記移動端末３００内の電池を充電するためのものである。
【００５３】
本発明の実施形態においては、電源アダプタは、勝手に出力電流を増大して急速充電を行うことなく、移動端末からの第１コマンドを受信した後でこそ、急速充電モードで移動端末を急速充電することができるため、従来技術に比べて、急速充電過程の安全性を向上させる。
【００５４】
また、一つの実施形態としては、前記通信回路３１０は、更に、前記ＵＳＢインターフェース内のデータ線を介して、前記急速充電モードに対応する充電電圧を表示するための第２コマンドを前記電源アダプタに送信するためのものである。
【００５５】
また、一つの実施形態としては、前記通信回路３１０は、更に、前記ＵＳＢインターフェース内のデータ線を介して、前記急速充電モードに対応する充電電流を表示するための第３コマンドを前記電源アダプタに送信するためのものである。
【００５６】
また、一つの実施形態としては、前記通信回路３１０は、更に、前記電源アダプタが前記急速充電モードで前記移動端末３００を充電する過程において、前記ＵＳＢインターフェース内のデータ線を介して、前記電源アダプタが前記電池の現在電圧に基づいて充電電流を調整しあるいは前記電源アダプタの充電電圧及び前記電池の現在電圧に基づいて前記電源アダプタと前記移動端末との間の接続が不良であるかどうかを判定するように前記移動端末内の電池の現在電圧を表示するための第４コマンドを前記電源アダプタに送信するためのものである。
【００５７】
図４は、本発明の実施形態に係る電源アダプタの概略ブロック図である。図４に示される電源アダプタ４００は、ＵＳＢインターフェースを介して移動端末に接続される。前記ＵＳＢインターフェース内の電源線は、前記電源アダプタ４００が前記移動端末を充電するためのものであり、前記ＵＳＢインターフェース内のデータ線は、前記電源アダプタ４００と前記移動端末との間の通信のためのものである。前記電源アダプタ４００は、普通充電モード又は急速充電モードで動作可能であり、前記急速充電モードでの充電電流が前記普通充電モードでの充電電流よりも大きい。前記電源アダプタ４００は、以下のユニットを備える。
【００５８】
通信回路４１０は、前記ＵＳＢインターフェース内のデータ線を介して、前記電源アダプタ４００に急速充電モードでの動作を指示するための第１コマンドを前記移動端末から受信するためのものである。
【００５９】
電流調整回路４２０は、充電電流を前記急速充電モードに対応する充電電流に調整し、前記移動端末を充電するためのものである。
【００６０】
本発明の実施形態においては、電源アダプタは、勝手に出力電流を増大して急速充電を行うことなく、移動端末からの第１コマンドを受信した後でこそ、急速充電モードで移動端末を急速充電することができるため、従来技術に比べて、急速充電過程の安全性を向上させる。
【００６１】
また、一つの実施形態としては、前記通信回路４１０は、更に、前記ＵＳＢインターフェース内のデータ線を介して、前記急速充電モードに対応する充電電圧を表示するための第２コマンドを前記移動端末から受信するためのものである。
【００６２】
また、一つの実施形態としては、前記通信回路４１０は、更に、前記ＵＳＢインターフェース内のデータ線を介して、前記急速充電モードに対応する充電電流を表示するための第３コマンドを前記移動端末から受信するためのものである。
【００６３】
また、一つの実施形態としては、前記通信回路４１０は、更に、前記電源アダプタ４００が前記急速充電モードで前記移動端末を充電する過程において、前記ＵＳＢインターフェース内のデータ線を介して、前記移動端末内の電池の現在電圧を表示するための第４コマンドを前記移動端末から受信するためのものであり、前記電流調整回路４２０は、前記移動端末内の電池の現在電圧に基づいて、充電電流を調整する。
【００６４】
また、一つの実施形態としては、前記電流調整回路４２０は、前記電池の現在電圧および予め設定された電池電圧と充電電流との間の対応関係に基づいて前記電源アダプタ４００の充電電流を前記電池の現在電圧に対応する充電電流に調整するためのものである。
【００６５】
また、一つの実施形態としては、前記通信回路４１０は、更に、前記電源アダプタ４００が前記急速充電モードで前記移動端末を充電する過程において、前記ＵＳＢインターフェース内のデータ線を介して、前記移動端末内の電池の現在電圧を表示するための第４コマンドを前記移動端末から受信するためのものであり、前記電源アダプタ４００が、前記電源アダプタ４００の充電電圧及び前記電池の現在電圧に基づいて、前記電源アダプタと前記移動端末との間の接続が不良であるかどうかを判定する。
【００６６】
当業者であれば理解できるように、本明細書で開示された実施形態に関連して説明された様々なユニット及びアルゴリズムステップは、電子ハードウェア、またはコンピュータソフトウェアと電子ハードウェアの組み合せで実施されることが可能である。これらの機能がハードウェアまたはソフトウェアで実現されるかどうかは、技術手段の特定応用および設計の制約条件に依存する。当業者は、各特定応用に対して、異なる方法を使用して上記機能を実現することができ、しかしながら、この実現は、本発明の範囲を超えるものと見なすべきではない。
【００６７】
また、当業者であれば理解できるように、説明の便利および簡潔のために、上記システム、装置、およびユニットの詳細な動作プロセスについては、上記方法実施形態の対応するプロセスを参照することができるため、再度説明しない。
【００６８】
本出願に提供された若干の実施形態においては、開示されたシステム、装置、および方法は、他の様式で実現されることができると見なすべきである。例えば、以上に説明された装置実施形態は、単に例示的である。例えば、ユニット分割は、単に論理的機能分割であり、実際の実現形態では他の分割であってもよい。例えば、複数のユニットまたは構成要素が別のシステムに組み合わせられるまたは組み込まれることができ、あるいは、若干の特徴が無視されるまたは実行されない。さらに、表示または説明された相互結合または直接結合または通信接続は、若干のインターフェースを介して実現されることができ、装置またはユニットの間接結合または通信接続は、電気的形態、機械的形態、または他の形態であってもよい。
【００６９】
別個の部材として説明されたユニットは、物理的に別個であってもよく、または、物理的に別個ではなくてもよい。表示ユニットとしての部材は、物理的ユニットであってもよく、または、物理的ユニットではなくてもよく、つまり、一つの位置にあってもよく、または、複数のネットワークユニットに分布してもよい。ユニットの一部または全部は、実施形態に係る技術手段の目的を達成するために、実際の必要に応じて選択されてもよい。
【００７０】
また、本発明の各実施形態における各機能ユニットは、一つの処理ユニットに組み込まれてもよく、物理的に単独で存在してもよく、二つ以上のユニットが一つのユニットに組み込まれてもよい。
【００７１】
上記機能がソフトウェア機能ユニットで実現され、独立した製品として販売または使用される場合、このソフトウェアはコンピュータ可読記憶媒体に記憶されてもよい。このような理解に基づいて、本発明の技術手段の要旨、あるいは従来技術に寄与する部分、あるいは技術手段的一部は、ソフトウェア製品で実現されてもよい。このコンピュータソフトウェア製品は、記憶媒体に記憶され、本発明の様々な実施形態に係る方法のステップの全部または一部をコンピュータ(パーソナルコンピュータ、サーバ、またはネットワークデバイスなど)に実行させるための若干のコマンドを含んでもよい。上記記憶媒体は、ＵＳＢメモリ、リムーバブルハードディスク、読み出し専用メモリ(ＲＯＭ、Ｒｅａｄ−Ｏｎｌｙ  Ｍｅｍｏｒｙ)、ランダムアクセスメモリ(ＲＡＭ、Ｒａｎｄｏｍ  Ａｃｃｅｓｓ  Ｍｅｍｏｒｙ)、磁気ディスク、または光ディスクなどの、プログラムコードを記憶することができる任意の媒体を含んでもよい。
【００７２】
以上は、本発明の実施形態に過ぎないが、本発明の保護範囲はこれに限定されない。本出願に開示された技術範囲を逸脱することなく、当業者が容易に得ることができる変化又は置換は、本発明の保護範囲に入るものと見なすべきである。したがって、本発明の保護範囲は、添付の特許請求の範囲を基準にする。
【図１】
0006475826.tif 000002
【図２】
0006475826.tif 000003
【図３】
0006475826.tif 000004
【図４】
0006475826.tif 000005